(57)【特許請求の範囲】
【請求項１】
外筒と、
該外筒の軸線方向に平行とされ、直径方向の対向位置となる両端に形成した溝と、
前記外筒に対し回転自在に挿嵌する内筒と、
該内筒から直径方向で進退自在に突出し、突出先端を前記溝へ係合した状態で該内筒の回転を阻止する一対のロッキングバーと、
中央部にキー挿入穴を有し、前記各ロッキングバーに対して直交する方向で、前記内筒の軸線直交方向に移動自在となって前記内筒の軸線方向に整列し、且つ前記軸線直交方向の特定の移動位置で前記ロッキングバーの基端を進入させて該ロッキングバーを前記内筒の直径方向内側へ後退させる一対の凹部を有した複数のタンブラーと、
該タンブラーの前記キー挿入穴に進入する断面略八角形の棒状の挿入部を有し且つ前記タンブラーのそれぞれを前記特定の移動位置に移動させる複数のきざみを該挿入部に有した施工用キーと、
前記施工用キーと略同形状とされ前記複数のきざみを同位置に有するとともに、該複数のきざみのうち幾つかのきざみのある前記挿入部の位置には上下に切欠が形成されたマスターキーと、
を具備するとともに、
前記複数のタンブラーのうち、前記マスターキーの切欠に対応する位置となる任意の位置の任意の数のタンブラーを、キー係合側タンブラーと凹部形成側タンブラーとの二分割で形成し、
前記キー係合側タンブラーは、Ｃ字形状となり、上下先端の内側に、二つの係合突起からなる略鋸歯状の係合部を有し、
前記凹部形成側タンブラーは、逆Ｃ字形状となり、上下先端の外側に、二つの係合突起からなる略鋸歯状の係合部を有し、
前記キー係合側タンブラーの係合突起と前記凹部形成側タンブラーの係合突起とを、第一の係合位置で一体に係合した状態では前記施工用キーが用いられ、
前記マスターキーが使用されると、前記キー係合側タンブラーの係合部と前記凹部形成側タンブラーの係合部の位置に前記切欠が位置することで、前記凹部形成側タンブラーの両先端を内側に撓むように、該マスターキーの回転とともに前記内筒を回転させることで前記ロッキングバーにて前記凹部形成側タンブラーの係合部の係合を解除させ、前記キー係合側タンブラーのキー当接部と前記凹部との前記軸線直交方向の距離が変わる第二の係合位置にて前記キー係合側タンブラーの係合突起と前記凹部形成側タンブラーの係合突起とを一体に係合した状態とすることを特徴とする施解錠装置。
【発明の詳細な説明】
【０００１】
【発明の属する技術分野】
本発明は、キーを用い複数のタンブラーのそれぞれを特定の位置に移動させてロッキングバーの係合を解除可能とする施解錠装置に関する。
【０００２】
【従来の技術】
シリンダータイプの施錠装置は、鍵孔に挿入されるキーのきざみに応じて移動され、鍵孔の形成された内筒をこの内筒に外挿された外筒に対し回転規制解除して施錠装置を施解錠させる複数のタンブラーを有している。この種の施錠装置は、シリンダー内に設けられるこのタンブラー形状によって、ピンタイプとロータリーディスクタイプとに大別できる。
【０００３】
例えばロータリーディスクタイプのタンブラーを有するディスクシリンダーは、図１４に示すように、キーを抜きとった状態では、ロッキングバー１３がスプリング１５によって外筒１７の溝１９に押しつけられている。また、ディスクタンブラー２１は、タンブラーバネ２３によって図中矢印ａの方向へ押されている。この状態で内筒２５を回転させようとしても、ディスクタンブラー２１の切欠２７がロッキングバー１３の上方にないため、ディスクタンブラー２１に阻まれて、ロッキングバー１３は上方へ上がることができず、内筒２５を回転させることができない。すなわち施錠状態となる。
【０００４】
一方、図１５に示すように、合カギであるキー２９を差し込むと、ディスクタンブラー２１はキー２９のきざみによって押され、切欠２７がロッキングバー１３の上方にくるまで回転、整列する。この状態で内筒２５を回転させようとすると、溝１９とロッキングバー１３とのテーパーによって、スプリング１５に抗してロッキングバー１３が上方に押し上げられ、内筒２５を回転させることができる。すなわち解錠となる。
【０００５】
【発明が解決しようとする課題】
今日、不正解錠、特にピッキングと言われる特殊な工具を用いることで鍵孔内のタンブラーを操作し、解錠を行い室内に侵入する犯罪が多発しており、施解錠装置のより一層な信頼性の向上が要求されている。
上記した施解錠装置は、外筒と内筒とを最終的に係合（ロック）するロッキングバーが一つであったため、確実性、信頼性を向上させる面ではまだ改善の余地があった。
また、上記の施解錠装置は、キー挿入穴が、板状の挿入部の断面形状に倣って矩形状であるため、内角が直角となり、ピッキング工具の掛り易い欠点を有していた。さらに、上記の施解錠装置に使用するキーは、板状の挿入部両縁部に波形状のきざみを挿入方向に形成するため、きざみ数を多く形成させることが出来ず、多くの鍵違い数を確保することができなかった。
【０００６】
本発明は上記状況に鑑みてなされたもので、ロッキングバーによる確実性、信頼性を高めることができるとともに、ピッキング工具を使用し難くでき、しかも、従来品に比べて鍵違い数を大幅に増やすことのできる施解錠装置を提供することを目的とする。
【０００７】
【課題を解決するための手段】
次に、上記の課題を解決するための手段を、実施の形態に対応する図面を参照して説明する。
この発明の請求項１記載の施解錠装置は、外筒３１と、
該外筒３１の軸線方向に平行とされ、直径方向の対向位置となる両端に形成した溝３３と、
前記外筒３１に対し回転自在に挿嵌する内筒４１と、
該内筒４１から直径方向で進退自在に突出し、突出先端４７ａを前記溝３３へ係合した状態で該内筒４１の回転を阻止する一対のロッキングバー４７と、
中央部にキー挿入穴５７を有し、前記各ロッキングバー４７に対して直交する方向で、前記内筒４１の軸線直交方向に移動自在となって前記内筒４１の軸線方向に整列し、且つ前記軸線直交方向の特定の移動位置で前記ロッキングバー４７の基端４７ｂを進入させて該ロッキングバー４７を前記内筒４１の直径方向内側へ後退させる一対の凹部６９を有した複数のタンブラー５３と、
該タンブラー５３の前記キー挿入穴５７に進入する断面略八角形の棒状の挿入部７９を有し且つ前記タンブラー５３のそれぞれを前記特定の移動位置に移動させる複数のきざみ８３を該挿入部７９に有した施工用キー７７と、
前記施工用キー７７と略同形状とされ前記複数のきざみ８３を同位置に有するとともに、該複数のきざみ８３のうち幾つかのきざみ８３のある前記挿入部７９の位置には上下に切欠１１３が形成されたマスターキー１１１と、
を具備するとともに、
前記複数のタンブラー５３のうち、前記マスターキー１１１の切欠１１３に対応する位置となる任意の位置の任意の数のタンブラー１０１を、キー係合側タンブラー１０３と凹部形成側タンブラー１０５との二分割で形成し、
前記キー係合側タンブラー１０３は、Ｃ字形状となり、上下先端の内側に、二つの係合突起１０７ａ，１０７ｂからなる略鋸歯状の係合部１０７を有し、
前記凹部形成側タンブラー１０５は、逆Ｃ字形状となり、上下先端の外側に、二つの係合突起１０９ａ，１０９ｂからなる略鋸歯状の係合部１０９を有し、
前記キー係合側タンブラー１０３の係合突起１０７ａ，１０７ｂと前記凹部形成側タンブラー１０５の係合突起１０９ａ，１０９ｂとを、第一の係合位置で一体に係合した状態では前記施工用キー７７が用いられ、
前記マスターキー１１１が使用されると、前記キー係合側タンブラー１０３の係合部１０７と前記凹部形成側タンブラー１０５の係合部１０９の位置に前記切欠１１３が位置することで、前記凹部形成側タンブラー１０５の両先端を内側に撓むように、該マスターキー１１１の回転とともに前記内筒４１を回転させることで前記ロッキングバー４７にて前記凹部形成側タンブラー１０５の係合部１０９の係合を解除させ、前記キー係合側タンブラー１０３のキー当接部６１と前記凹部６９との前記軸線直交方向の距離が変わる第二の係合位置にて前記キー係合側タンブラー１０３の係合突起と前記凹部形成側タンブラー１０５の係合突起とを一体に係合した状態とすることを特徴とする。
【０００８】
この施解錠装置では、一対のロッキングバー４７を備えることで、内筒４１から突出した一対のロッキングバー４７が内筒４１の直径方向両端で外筒３１の溝３３に係合し、ロッキングバー４７が一つの構造に比べ、外筒３１と内筒４１との係合が確実且つ強力となる。
また、キー挿入穴５７が、挿入部７９の断面形状と同じ略八角形となり、キー挿入穴５７の内角の全てが鈍角となる。これにより、ピッキング工具を掛り難くすることができる。
さらに、挿入部７９が断面略八角形の棒状となるので、タンブラー５３を特定の位置に移動させるきざみ８３を、挿入部７９の一対の対角部に形成するとともに、挿入部７９の軸線方向に複数設けることができ、しかも、それぞれのきざみの深さを可変させることができるので、数十億通りの鍵違い数が確保可能になる。
【０００９】
また、この施錠装置によれば、キーを施工用キー７７とマスターキー１１１とで構成しており、それぞれ同じ位置となる複数のきざみ８３を備えるとともに、マスターキー１１１には、幾つかのきざみ８３の位置に切欠１１３が形成されて、さらに、前記タンブラー５３のうち、切欠１１３に対応する位置のタンブラー１０１をキー係合側タンブラー１０３と凹部形成側タンブラー１０５との二分割で形成して第一の係合位置で一体に係合し、且つ前記キー係合側タンブラー１０３のキー当接部６１と前記凹部６９との前記軸線直交方向の距離が変わる第二の係合位置で、該キー係合側タンブラー１０３と該凹部形成側タンブラー１０５とを係合自在とした構成としており、前記施工用キー７７とマスターキー１１１とを使い分けることが可能となる。
【００１０】
すなわち、この施解錠装置では、第一の係合位置で係合するタンブラー１０１のキー当接部６１と凹部６９との距離、第二の係合位置で係合するタンブラー１０１のキー当接部６１と凹部６９との距離が異なるものとなる。したがって、第一の係合位置で係合するタンブラー１０１に有効であったきざみ８３は、第二の係合位置で係合するタンブラー１０１に対しては無効となる。これにより、第一の係合位置で係合するタンブラー１０１に使用するキーを一時的に使用可能となる施工用キー（コンストラクションキー）７７とすることができ、第二の係合位置で係合するタンブラーに使用するキー１１１をマスターキーとし、このマスターキー１１１を使用することで、タンブラー１０１の係合位置を変更することが可能となって、施工用キー７７を使用した場合であっても、ロッキングバー４７の基端４７ｂと凹部６９とが一致しなくなるため、この施工用キー７７での施解錠が不可能となり、タンブラー１０１の係合位置切り替え後は、施工用キー７７を使用不能にして防犯性を確保することができる。
【００１１】
【発明の実施の形態】
以下、本発明に係る施解錠装置の好適な実施の形態を図面を参照して詳細に説明する。
図１は本発明に係る施解錠装置のタンブラー及びその近傍部材を省略した分解斜視図、図２は図１で省略したタンブラー及びその近傍部材の分解斜視図、図３はキーの側面図、図４は図３のＡ−Ａ矢視図、図５はきざみの種類を表す説明図、図６はタンブラー及びロッキングバーを内蔵した内筒の断面図、図７は異なる位置に凹部を形成したタンブラーのロッキングバー係合解除位置を表した説明図、図８は回動過程における内筒の断面図である。
【００１２】
外筒である円筒状のハウジング３１は、図１の右端が扉の表面に表出する側である前方、左端が扉内部の錠箱の方向である後方となり、前方からキーを挿入するようになっている。ハウジング３１は、直径方向の対向位置となる外側に切り欠いた軸線方向に平行となって長い一対の溝３３を有している。この溝３３には後述のロッキングバーが進入する断面Ｕ字形のレール状のロッキングバー用スペーサ３５を嵌着している。
【００１３】
ハウジング３１は、内部に、キー挿入穴３７を有した円板状のキーガイド３９を回動自在に装着している。ハウジング３１は、キーガイド３９の後方に、内筒４１を回転自在に装着する。このキーガイド３９と内筒４１とは図示しない係合爪等により相対回転不能に一体となる。内筒４１は、左右の側部に、軸線方向に等間隔で穿設した複数の仕切板止穴４３を有している。
【００１４】
内筒４１は、上部及び下部に、軸線方向に平行となる長いスリット状のロッキングバー突出開口４５を有している。内筒４１は、内部の上部及び下部に、内筒４１の軸線方向に長い一対のロッキングバー４７を収容している。ロッキングバー４７は、先細形状の突出先端４７ａと、この突出先端４７ａに連設したピン状の基端４７ｂとを有している。ロッキングバー４７は、突出先端４７ａをロッキングバー突出開口４５から突出させ、ハウジング３１のロッキングバー用スペーサ３５内に進入させて係合する。この状態で、ハウジング３１と内筒４１とは、ロッキングバー４７を介して相対回転不能となる。
【００１５】
内筒４１は、ロッキングバー４７の直径方向内側に板バネ状のリターンスプリング４９を収容している。リターンスプリング４９は、図６に示すように、ロッキングバー４７を、ロッキングバー突出開口４５から突出させる方向に付勢している。このリターンスプリング４９は、後述の仕切板によって支持される。
【００１６】
内筒４１は、内部に、図２に示す複数の仕切板５１と、タンブラー５３とを、軸線方向に交互に配置して収容する。仕切板５１は、両側に突起５５を有し、この突起５５を内筒４１の仕切板止穴４３に挿入することで内筒４１の内部に移動不能となって嵌着する。
【００１７】
本実施の形態は、１９枚の仕切板５１と、１８枚のタンブラー５３とを交互に内筒４１に収容している。それぞれの仕切板５１は、後述するキー７７の挿入部断面形状と同形状の略八角形のキー挿入穴５７を穿設している。一方、タンブラー５３は、挿入部を遊挿するキー挿入穴５９を有している。このキー挿入穴５９は、直径方向一端側が、挿入部の片側の外形状と同形状のく字形となっている。また、キー挿入穴５９は、直径方向他端側が、後述する挿入部のきざみに当接する垂直な辺部に形成したキー当接部６１となっている。
【００１８】
このタンブラー５３は、仕切板５１を挟んで交互に並ぶが、キー当接部６１が左右の同一向き、或いは前後方向交互に並べるものであってもよい。本実施の形態においては、図２に示すように、前後方向でキー当接部６１の向きを左右交互に変えた向きで配設している。
【００１９】
タンブラー５３は、仕切板５１より左右方向の幅が狭く、内筒４１内を、図２の左右方向に移動可能となっている。また、タンブラー５３は、後述する挿入部の先端を案内する切欠６３を、キー当接部６１に有している。さらに、タンブラー５３は、キー当接部６１の外側の側部にバネ保持突起６５を突設している。内筒４１は、内壁とタンブラー５３との間に、このバネ保持突起６５に嵌入するコイルバネ６７を収容している。このコイルバネ６７は、図６に示すように、それぞれのタンブラー５３を、内筒４１の反対側の壁部へ付勢している。
【００２０】
タンブラー５３は、上縁及び下縁に、上記したロッキングバー４７の基端４７ｂを進入させる凹部６９を有している。すなわち、ロッキングバー４７は、基端４７ｂがこの凹部６９に一致したとき、内筒４１の内側に後退可能となる。この凹部６９の、キー当接部６１に対する相対位置は、図７（ａ）〜（ｂ）に示すように、それぞれのタンブラー５３において任意に設定される。
【００２１】
ハウジング３１は、内筒４１を収容した後端側に、挿入部先端が進入する回転自在なテールピース７１を嵌入する。このテールピース７１は、ハウジング３１の最後端に嵌入するワッシャー７３及びクリップ７５によって離脱が阻止される。なお、テールピース７１は後端面に係合板７１ａを有し、係合板７１ａは図示しない錠箱内の機構部分にキー操作力を伝達する。
【００２２】
一方、キー７７は、図３に示すように、棒状の挿入部７９を有する。挿入部７９は、図５に示すように断面形状が略八角形状となる。キー７７は、挿入部７９の後端に保持部となるキーヘッド８１を連設している。キーヘッド８１は、挿入部７９の直径方向から一方、図３の上方のみに突出している。キー７７は、直径方向一方のみにキーヘッド８１を突出させることにより、キー７７の挿入方向を一方向に特定できるようになり、すなわち、キーヘッド８１を上向きに摘んだ状態のみに操作可能であり、従来キーのような二方向使用（リバーシブル）とする必要がなくなる。
【００２３】
また、キー７７は、挿入部７９の先端が、プラスドライバ工具と近似する正面視でプラス十字形状となるように形成している。この十字形状の一側部の先端は、タンブラー５３のキー当接部６１に設けた切欠６３に進入するようになっている。これにより、挿入部７９は、先端が切欠６３に案内されてスムースに内筒４１に進入できるようになっている。
【００２４】
キー７７は、図４，図５に示すように、挿入部７９に、両側部から複数深さで切り込む種々のきざみ８３を有している。すなわち、挿入部７９を下面（または上面）から見た場合、図４に示す形状となり、深さの異なるきざみ８３が、左右交互に、軸線方向に形成される。本実施の形態では、きざみ８３の深さが、浅きざみ８３ａ，中きざみ８３ｂ，深きざみ８３ｃの三種類である場合を例に説明する。なお、タンブラー５３の内筒４１軸線直交方向の特定の移動位置は、この三種類のきざみ８３ａ，８３ｂ，８３ｃに加え、きざみ無し８３ｄを含めた四種類となる（図５参照）。
【００２５】
ここで、キー７７を使用することによる鍵違数について説明する。
上記した１８列のタンブラー５３のうち、例えば右側を奇数タンブラー、左側を偶数タンブラーとし、偶数タンブラー及び奇数タンブラーの９列中、６タンブラーを組み合わせることとし、残る３タンブラーはダミーとすると、偶数タンブラー及び奇数タンブラーのそれぞれで８４通りとなり、きざみ８３が三段階であれば、×７２９（３の６乗）となる。したがって、８４×７２９×８４×７２９＝３，７４９，８４７，６９６通りとなり、さらに偶数タンブラー及び奇数タンブラーの前後を変更することにより×２となり、７，４９９，６９５，３９２で約７５億通りの鍵違数が確保できる。
【００２６】
次に、このように構成した施解錠装置９１の作用を説明する。
施解錠装置９１は、きざみ８３の挿入部７９が、整列したタンブラー５３のキー挿入穴５９に進入すると、それぞれのタンブラー５３が、挿入部７９に形成したきざみ８３によって、内筒４１の軸線直交方向の特定の移動位置に移動する。すなわち、図７（ａ）に示すように、きざみ８３無しに対応するタンブラー５３は、内筒４１の最左端に位置する。図７（ｂ）に示すように、浅きざみ８３に対応するタンブラー５３は、内筒４１の左側に位置する。図７（ｃ）に示すように、中きざみ８３に対応するタンブラー５３は、内筒４１の中央に位置する。図７（ｄ）に示すように、深きざみ８３に対応するタンブラー５３は、内筒４１の最右端に位置する。これらそれぞれの状態でタンブラー５３は、凹部６９がロッキングバー４７の基端４７ｂと一致し、ロッキングバー４７が内筒４１の内側方向に後退可能となる。これにより、図８に示すように、内筒４１とハウジング３１との係合が解除され、内筒４１はハウジング３１に対して回転可能となる。
【００２７】
このように、上記の施解錠装置によれば、一対のロッキングバー４７を備えることで、内筒４１から突出した一対のロッキングバー４７が内筒４１の直径方向の対向した両端でハウジング３１の溝３３に係合し、ロッキングバー４７が一つの構造に比べ、ハウジング３１と内筒４１との係合が確実且つ強力となる。
【００２８】
また、キー挿入穴５９が、挿入部７９の断面形状と同じ略八角形となり、キー挿入穴５９の内角の全てが鈍角となる。これにより、ピッキング工具を掛り難くすることができる。さらに、挿入部７９が断面略八角形の棒状となるので、タンブラー５３を特定の位置に移動させるきざみ８３を、挿入部７９の一対の対角部に形成するとともに、挿入部７９の軸線方向に複数設けることができ、しかも、それぞれのきざみの深さを可変させることができるので、数十億通りの鍵違数が確保可能になる。
【００２９】
次に、本発明に係る施解錠装置の他の実施の形態を説明する。
図９は本発明に係る施解錠装置の他の実施の形態における内筒の断面図、図１０は他の実施の形態に用いるキーの側面図、図１１はタンブラーの第二の係合位置への係合過程を表す説明図、図１２は第一の係合位置で係合したタンブラーの動作説明図、図１３は第二の係合位置で係合したタンブラーの動作説明図である。なお、図１〜図８に示した部材と同一の部材には同一の符号を付し、重複する説明は省略するものとする。
【００３０】
この実施の形態による施解錠装置は、図９に示すように、タンブラー１０１をを、キー係合側タンブラー１０３と凹部形成側タンブラー１０５との二分割で形成している。このキー係合側タンブラー１０３と凹部形成側タンブラー１０５とは、図９に示す第一の係合位置と、図１１（ｂ）に示す第二の係合位置で係合可能となっている。
【００３１】
すなわち、キー係合側タンブラー１０３は、Ｃ字形状となり、上下先端の内側に、二つの係合突起１０７ａ，１０７ｂからなる略鋸歯状の係合部１０７を有している。また、凹部形成側タンブラー１０５は、逆Ｃ字形状となり、上下先端の外側に、二つの係合突起１０９ａ，１０９ｂからなる略鋸歯状の係合部１０９を有している。
【００３２】
また、この施解錠装置には、図１０に示すキー１１１が用いられる。このキー１１１は、上記した図３に示すキー７７の両側部のきざみ８３に加え、上下方向に複数、本実施の形態では三つの切欠１１３を有している。すなわち、この切欠１１３は、キー挿入穴５９内で上下に間隙を形成することとなり、そしてこの切欠１１３により、凹部形成側タンブラー１０５は、図１１（ａ）に示すように、先端が内側に撓む方向で変形可能となる。このタンブラー１０１は、任意の位置で且つ任意の数設けることができる。
【００３３】
そして、この施解錠装置は、切欠１１３を有するキー１１１と、切欠１１３を有さないキーとを使い分けることにより、一時的に施解錠操作を行うことを可能とする施工用キー（コンストラクションキー）と、マスターキーとの使い分けを可能にすることができる。すなわち、この施解錠装置は、工場出荷時に、図９に示す第一の係合位置でタンブラー１０１を係合させておく。この状態では、切欠１１３を有しない施工用キーを使用することにより、図１２（ａ）に示すように、係合部１０７，１０９が解除されない。また、施工用キーのきざみ８３に合わせて、上記の施解錠装置９１の場合と同様に、図１２（ｂ）に示すように、タンブラー１０１を特定位置に移動させ、ロッキングバー４７を後退可能として、内筒４１をハウジング３１に対して係合解除可能にできる。
【００３４】
一方、切欠１１３を有したマスターキーであるキー１１１を一旦挿入すると、図１１（ａ）に示すように、切欠１１３に一致した凹部形成側タンブラー１０５が、キー操作による内筒４１の回転によってロッキングバー４７に押圧され内側へ撓む。これにより、タンブラー１０１は、第一の係合位置での係合部１０７，１０９が係合解除されるとともに、図１１（ｂ）、図１３（ａ）に示す第二の係合位置で係合する。
【００３５】
これにより、タンブラー１０１は、キー当接部６１と、凹部６９との軸線直交方向の距離が変わる。この結果、図１２（ｂ）で使用した施工用キーを使用した場合であっても、図１３（ｂ）に示すように、ロッキングバー４７の基端４７ｂと凹部６９とが一致しなくなるため、この施工用キーでの施解錠が不可能となる。
【００３６】
また、この場合、凹部形成側タンブラー１０５に形成する凹部６９は、所定の幅で形成しておくことにより、図１２（ｃ）と、図１３（ｃ）に示すように、第一の係合位置及び第二の係合位置のいずれにおいても、マスターキーであるキー１１１の使用を可能にしている。
【００３７】
この施解錠装置によれば、第一の係合位置で係合するタンブラー１０１のキー当接部６１と凹部６９との距離と、第二の係合位置で係合するタンブラー１０１のキー当接部６１と凹部６９との距離が異なるものとなる。したがって、第一の係合位置で係合するタンブラー１０１に有効であったきざみは、第二の係合位置で係合するタンブラー１０１に対しては無効となる。これにより、第一の係合位置で係合するタンブラー１０１に使用するキーを施工用キーとし、第二の係合位置で係合するタンブラー１０１に使用するキー１１１をマスターキーとすることで、タンブラー１０１の係合位置切り替え後は、施工用キーを使用不可能にして防犯性を確保することができる。
【００３８】
【発明の効果】
以上詳細に説明したように、本発明に係る施解錠装置によれば、一対のロッキングバーを備えた構成としたので、ロッキングバーが一つの構造に比べ、外筒と内筒との係合を確実且つ強力に行え、施錠時の信頼性を高めることができる。
また、キー挿入穴が、挿入部の断面形状と同じ略八角形と構成したので内角の全てが鈍角となり、ピッキング工具を掛り難くして、防犯性を高めることができる。
さらに、挿入部を断面略八角形の棒状としたので、タンブラーを特定の位置に移動させるきざみを挿入部の一対の対角部に形成するとともに、挿入部の軸線方向に沿って複数設けることができ、しかも、それぞれのきざみの深さを十分に可変させることができるので、例えば数十億通りの鍵違い数を確保することができ、これによっても防犯性を向上させることができる。
【００３９】
また、タンブラーを、キー係合側タンブラーと凹部形成側タンブラーとの二分割で形成して、第一の係合位置で一体に係合し、且つキー係合側タンブラーのキー当接部と凹部との軸線直交方向の距離が変わる第二の係合位置で、キー係合側タンブラーと凹部形成側タンブラーとを係合自在とした構成としたので、第一の係合位置で係合するタンブラーのキー当接部と凹部との距離、第二の係合位置で係合するタンブラーのキー当接部と凹部との距離が異なるものに構成可能となる。したがって、第一の係合位置で係合するタンブラーに有効であったきざみは、第二の係合位置で係合するタンブラーに対しては無効となる。これにより、第一の係合位置で係合するタンブラーに使用するキーを一時的に使用可能となる施工用キーとし、第二の係合位置で係合するタンブラーに使用するキーをマスターキーとすることで、タンブラーの係合位置切り替え後は、施工用キーを使用不可能にして、不正にキーを使用されることによる犯罪に対する防犯性を確保することができる。
【図面の簡単な説明】
【図１】本発明に係る施解錠装置のタンブラー及びその近傍部材を省略した分解斜視図である。
【図２】図１で省略したタンブラー及びその近傍部材の分解斜視図である。
【図３】キーの側面図である。
【図４】図３のＡ−Ａ矢視図である。
【図５】きざみの種類を表す説明図である。
【図６】タンブラー及びロッキングバーを内蔵した内筒の断面図である。
【図７】異なる位置に凹部を形成したタンブラーのロッキングバー係合解除位置を表した説明図である。
【図８】回動過程における内筒の断面図である。
【図９】本発明に係る施解錠装置の他の実施の形態における内筒の断面図である。
【図１０】他の実施の形態に用いるキーの側面図である。
【図１１】タンブラーの第二の係合位置への係合過程を表す説明図である。
【図１２】第一の係合位置で係合したタンブラーの動作説明図である。
【図１３】第二の係合位置で係合したタンブラーの動作説明図である。
【図１４】ロータリーディスクタイプのタンブラーを有するディスクシリンダーの施錠状態の正面視を（ａ）、断面を（ｂ）で示した説明図である。
【図１５】ロータリーディスクタイプのタンブラーを有するディスクシリンダーの解錠状態の正面視を（ａ）、断面を（ｂ）で示した説明図である。
【符号の説明】
３１…ハウジング（外筒）
３３…溝
４１…内筒
４７…ロッキングバー
４７ａ…突出先端
４７ｂ…ロッキングバーの基端
５３，１０１…タンブラー
５７…キー挿入穴
６１…キー当接部
６９…凹部
７７，１１１…キー
７９…挿入部
８３…きざみ
１０３…キー係合側タンブラー
１０５…凹部形成側タンブラー
【図１】
0004080185.tif 000002
【図２】
0004080185.tif 000003
【図３】
0004080185.tif 000004
【図４】
0004080185.tif 000005
【図５】
0004080185.tif 000006
【図６】
0004080185.tif 000007
【図７】
0004080185.tif 000008
【図８】
0004080185.tif 000009
【図９】
0004080185.tif 000010
【図１０】
0004080185.tif 000011
【図１１】
0004080185.tif 000012
【図１２】
0004080185.tif 000013
【図１３】
0004080185.tif 000014
【図１４】
0004080185.tif 000015
【図１５】
0004080185.tif 000016